(57)【要約】【課題】  オペレータが、用紙が給紙段に設定されていない状態で、用紙設定操作を含めた一連の調整操作する使われ方において、オペレータは、用紙設定操作から調整完了までの一連の操作実行に手間がかかる。【解決手段】  オペレータは、用紙設定画面で用紙設定を行う画面遷移なく、調整画面で調整値変更と調整後の確認プリント実施可能にすることで、オペレータが用紙設定操作なしに調整操作から調整後の確認プリントまでの一連の流れを容易に実施することを可能にする。【選択図】  図６
2020001353.tif 000002
【特許請求の範囲】
【請求項１】
印刷制御装置と画像形成装置とを含む管理システムにおいて、
給紙段を選択する選択手段と、
印刷のために用いられるシートに対して印刷処理する際の設定値を含むシート情報を調整する調整手段と
前記選択手段により選択された給紙段に設定されているシート情報と、前記調整手段において調整されるシート情報が一致しない場合に、前記調整手段により調整されるシート情報を現在の給紙段に設定するかを確認する確認手段と、
前記確認手段による確認結果に従って、前記調整手段による調整後のシート情報を前記画像形成装置に対して設定する設定手段を含む管理システム。
【請求項２】
前記調整手段において、調整操作を中断した場合は、前記選択手段により選択された給紙段に設定したシート情報として、調整画面を表示した時点のシート情報を設定することを特徴とする、請求項１記載の管理システム。
【請求項３】
前記確認手段において、確認画面を表示してから、前記選択手段が選択した給紙段のシートが交換されるまで、調整対象のシートのシート情報を変更できないように設定する設定手段をさらに有することを特徴とする、請求項１記載の用紙管理システム。
【請求項４】
複数の給紙段に対応する複数の表示アイテムを表示する表示制御手段と、
前記表示された前記複数の表示アイテムの中からひとつの給紙段に対応する表示アイテムが選択されることに応じて当該給紙段は前記選択手段により選択されるものであり、
当該選択に応じて前記選択手段により選択された給紙段に対して設定するべきシート情報を、複数のシート情報の中から選択するシート情報選択手段と、
前記シート情報選択手段により選択されたシート情報と、前記給紙段に対して予め設定されていたシート情報が一致するかを前記確認手段は確認し、前記確認手段による確認結果に従って所定の確認画面を表示する請求項１乃至３のいずれか１項に記載の用紙管理システム。
【請求項５】
印刷制御装置と画像形成装置とを含む管理システムの制御方法において、
給紙段を選択する選択工程と、
印刷のために用いられるシートに対して印刷処理する際の設定値を含むシート情報を調整する調整工程と
前記選択工程により選択された給紙段に設定されているシート情報と、前記調整工程において調整されるシート情報が一致しない場合に、前記調整工程により調整されるシート情報を現在の給紙段に設定するかを確認する確認工程と、
前記確認工程による確認結果に従って、前記調整工程による調整後のシート情報を前記画像形成装置に対して設定する設定工程とをコンピュータに実行させる制御方法。
【請求項６】
前記調整工程において、調整操作を中断した場合は、前記選択工程により選択された給紙段に設定したシート情報として、調整画面を表示した時点のシート情報を設定することを特徴とする、請求項５記載の制御方法。
【請求項７】
前記確認工程において、確認画面を表示してから、前記選択工程が選択した給紙段のシートが交換されるまで、調整対象のシートのシート情報を変更できないように設定する設定工程をさらにコンピュータに実行させる、請求項５記載の制御方法。
【請求項８】
複数の給紙段に対応する複数の表示アイテムを表示する表示制御工程と、
前記表示された前記複数の表示アイテムの中からひとつの給紙段に対応する表示アイテムが選択されることに応じて当該給紙段は前記選択工程により選択されるものであり、
当該選択に応じて前記選択工程により選択された給紙段に対して設定するべきシート情報を、複数のシート情報の中から選択するシート情報選択工程とをさらにコンピュータに実行させ、前記シート情報選択工程により選択されたシート情報と、前記給紙段に対して予め設定されていたシート情報が一致するかを前記確認工程は確認し、前記確認工程による確認結果に従って所定の確認画面を表示する請求項５乃至７のいずれか１項に記載の制御方法。
【発明の詳細な説明】
【技術分野】
【０００１】
本発明は、例えば、シートに関する情報を管理するためのシステム、該システムを制御する方法、システム等に関する。
【背景技術】
【０００２】
ディジタル複合機等を使用する際に、給紙段にセットされている用紙の種類や大きさを操作部にて設定する必要がある。操作部にて、実際に給紙段にセットされている用紙情報を、画像形成装置内部で管理されている給紙段情報に登録することで、適切に用紙を搬送し、印刷物を得ることができる。したがって、画像形成装置を使用するオペレータは、給紙段にセットする用紙を変更する度に、用紙の設定操作をする必要がある。また、印刷を行う前に、所望の成果物の印刷品位を満たすための調整操作がある。オペレータは、所望の用紙に印刷するための転写電圧、補正レベルなどの調整値を用紙の特性に合わせて変更する必要がある。そのため、用紙の調整操作は印刷物を得るために必要なものとなり、この操作性を高める仕組みが考えられている。
【０００３】
一例として、調整操作において、オペレータの利便性を向上させるものとして、調整が正しく行われているかを確認することを目的として確認プリント手段がある。この際に、実施した調整作業に従って確認プリントで使用する給紙段を自動選択するシステムが知られている（例えば、特許文献１参照）。調整作業を実施後の確認プリント時に、適切な給紙段を自動的に決定し、確認プリントを実施できるようにすることで、オペレータの利便性を向上している。
【先行技術文献】
【特許文献】
【０００４】
【特許文献１】特開平１１−２１２４２４
【発明の概要】
【発明が解決しようとする課題】
【０００５】
少量多品種の成果物印刷を行っている印刷工場では、受注した成果物によって使用する用紙の種類は多品種である。このため、頻繁に用紙の設定操作、および、調整操作を行う場合がある。また、用紙によっては、調整を実施した場合、所望の印刷品位を満たすために調整操作を繰り返し実施する場合がある。しかしながら、背景技術では、調整操作時には、調整対象の用紙が給紙段に設定されている前提の手段であり、用紙が給紙段に設定されていない状態で、用紙設定操作を含めた一連の調整操作に対しては考慮されていない。このため、例えば、少量多品種の成果物印刷が多くなると、用紙設定操作と調整操作による操作画面遷移が増え、オペレータの操作性が悪くなる。従来は調整するためには、用紙設定の画面操作をしてから、調整操作の画面に移動して操作するしかないため、調整後の確認プリント実施まで時間がかかっていた。本発明はシートに関する設定の操作性の向上を目的とする。また、所望のシート情報の調整後、給紙段に対するシート情報の設定状態の確認を容易に実施できるシステムを提供することをさらに別の目的とする。
【課題を解決するための手段】
【０００６】
実施形態の一つの側面は、印刷制御装置と画像形成装置とを含む管理システムにおいて、給紙段を選択する選択手段と、印刷のために用いられるシートに対して印刷処理する際の設定値を含むシート情報を調整する調整手段と、前記選択手段により選択された給紙段に設定されているシート情報と、前記調整手段において調整されるシート情報が一致しない場合に、前記調整手段により調整されるシート情報を現在の給紙段に設定するかを確認する確認手段と、前記確認手段による確認結果に従って、前記調整手段による調整後のシート情報を前記画像形成装置に対して設定する設定手段を含む管理システムであることを特徴とする。
【発明の効果】
【０００７】
本発明の一つの側面によれば、シートに関する設定の操作性を向上させることができる。また、本発明の別の側面によれば、所望の用紙の設定から調整後の確認プリントまでの操作を容易に実施することができる。
【図面の簡単な説明】
【０００８】
【図１】用紙管理システムの構成例を示すブロック図
【図２】画像形成装置１０３のハードウェア構成を示すブロック図
【図３】印刷制御装置１０２のハードウェア、ソフトウェア構成を示すブロック図
【図４】用紙管理アプリケーションが実行するフローチャートの一例を示す図
【図５】画像形成装置１０３の起動時のフローチャートの一例を示す図
【図６】実施形態の処理例を示すシーケンスの一例を示す図
【図７】実施形態の処理例に関する画面遷移の一例を示す図
【図８】実施形態の処理例に関する設定値テーブルの一例を示す図
【図９】実施形態の処理例を示すフローチャートの一例を示す図
【図１０】別の実施形態の処理例を示すシーケンス図の一例を示す図
【図１１】別の実施形態の処理例に関する画面遷移の一例を示す図
【図１２】別の実施形態の処理例を示すフローチャートの一例を示す図
【図１３】さらに別の実施形態の処理例を示すシーケンスの一例を示す図
【図１４】さらに別の実施形態の関する画面遷移の一例を示す図
【図１５】さらに別の実施形態の処理を示すフローチャートの一例を示す図
【発明を実施するための形態】
【０００９】
以下、本発明を実施するための形態について図面を用いて説明する。
【００１０】
図１は、用紙管理システム１００の全体構成を示すブロック図である。図１の用紙管理システム１００は、画像形成装置１０３と、印刷制御装置１０２を備えている。そして、この用紙管理システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と画像形成装置１０３とは、画像ビデオケーブル１０７及び制御ケーブル１０８を介して接続されている。本実施形態では、画像形成装置１０３は、ＬＡＮ１１０に直接接続されていない。画像形成装置１０３とクライアントコンピュータ１０１とは、印刷制御装置１０２を介して通信する。なお、画像形成装置１０３は、ＬＡＮ１１０に接続されても良い。つまり、画像形成装置１０３は、直接、クライアントコンピュータ１０１と通信可能に接続されていても良い。画像形成装置１０３はプリンタやファクシミリを含む複合機やプリンタなどが一例である。
【００１１】
クライアントコンピュータ１０１は、アプリケーションを起動させて用紙管理システム１００に印刷指示などを行う。印刷制御装置１０２は、画像形成装置１０３と連携して画像処理を行う。画像形成装置１０３は色々な機能を有する複合機であり、クライアントコンピュータ１０１や印刷制御装置１０２からの画像処理を行うだけでなく、１０４のスキャナ部より読み込んだデータをコピーしたり、共有フォルダに送信したりすることが可能である。１０４のスキャナ部で画像を走査する際には、操作部１０５にて各種キーを介して、ユーザから各種指示を受け付ける。また、操作部１０５はパネルを介して、スキャン状態などの各種情報を表示する。排紙部１０６は画像が形成された用紙を受け取って、当該受け取った用紙に対して排紙する。１１１は印刷制御装置１０２の表示装置であり、液晶モニタ等の装置である。１１２はキーボード、１１３はポインティングデバイスである。
【００１２】
本実施の形態では、印刷制御装置１０２と画像形成装置１０３の別システムとして用紙管理システム１００を説明するが、印刷制御装置１０２の処理を画像形成装置１０３の内部に包含し、印刷制制御装置１０２を物理的に配置しなくてもよい。また、表示装置１１１がタッチパッドのような位置入力装置機能を持ち、１１３のポインティングデバイスの機能を兼ねている構成でも良い。
【００１３】
図２は画像形成装置１０３のハードウェア構成を示すブロック図である。図２の画像形成装置１０３のブロック図において、コントローラ２００は、画像形成装置１０３を制御し、ＣＰＵ２０１から読取インターフェース２１２によって構成されている。２０１はＣＰＵで、ＲＯＭ２０３または外部記憶装置２１１に記憶された制御プログラムに基づいてシステムバス２０４に接続される各種のデバイスとのアクセスを総括的に制御する。また、印刷インターフェース２０７を介して接続される印刷部（プリンタエンジン）２１３に出力情報としての画像信号を出力し、読取インターフェース２１２を介して接続される読取部（スキャナ）１０４から入力される画像信号を制御する。ＣＰＵ２０１はＬＡＮコントローラ２０６を介して印刷制御装置１０２との通信処理が可能となっている。２０２はＲＡＭで、主としてＣＰＵ２０１の主メモリ、ワークエリア、ビデオメモリ等として機能する。ハードディスク（ＨＤＤ）、ＩＣカード等の外部記憶装置２１０は、ディスクコントローラ（ＤＫＣ）２０８によりアクセスが制御される。ハードディスクは、アプリケーションプログラム、フォントデータ、フォームデータ等を記憶し、プリントジョブを一時的にスプールし、スプールされたジョブを外部から制御するためのジョブ格納領域として使用される。また更に、スキャナ１０４から読み取った画像データやプリントジョブの画像データを留め置き印刷データとして保持し、ネットワークから参照し、印刷を行う留め置き印刷データ格納領域としても使用される。本実施例においては、外部記憶装置としてはＨＤＤを使用するものとし、ジョブログ、画像ログ等各種ログを保持する。２０５は操作部Ｉ／Ｆで、ユーザが操作部１０５（例としてはソフトウェアキーまたはハードウェアキー）から入力された各種情報を受信し、各種画面表示制御信号を送信する。２０９は不揮発性メモリであり、操作部１０５やネットワークを介して端末から設定される各種設定情報を記憶している。ビデオインターフェース２１１は印刷制御装置１０２から画像データを受信する。
【００１４】
図３（Ａ）は印刷制御装置１０２のハードウェア構成を示すブロック図である。図３の印刷制御装置１０２のブロック図において、コントローラ３００は、印刷制御装置１０２を制御し、ＣＰＵ３０１からビデオインターフェース３０９によって構成されている。３０１はＣＰＵで、ＲＯＭ３０３または外部記憶装置３０９に記憶された制御プログラムに基づいてシステムバス３０４に接続される各種のデバイスとのアクセスを総括的に制御する。また、ＣＰＵ３０１はＬＡＮコントローラ３０６を介して画像形成装置１０３との通信処理が可能となる。ＣＰＵ３０１はＬＡＮコントローラ３０７を介してネットワーク上のクライアントコンピュータ１０１や画像形成装置１０３との通信処理が可能となる。３０２はＲＡＭで、主としてＣＰＵ３０１の主メモリ、ワークエリア、ビデオメモリ等として機能する。ハードディスク（ＨＤＤ）、ＩＣカード等の外部記憶装置３０９は、ディスクコントローラ（ＤＫＣ）３０８によりアクセスが制御される。ハードディスクは、アプリケーションプログラム、フォントデータ、フォームデータ等を記憶し、プリントジョブを一時的にスプールする。スプールされたジョブをＲＩＰ（Ｒａｓｔｅｒ  Ｉｍａｇｅ  Ｐｒｏｃｅｓｓｏｒ）処理し、再度保存するためのジョブ格納領域として使用される。３０５は操作部Ｉ／Ｆで、ユーザが操作部（キーボード１１２、ポインティングデバイス１１３）から入力された各種情報を受信し、表示装置１１１に対する各種画面表示制御信号を送信する。ビデオインターフェース３１０は画像形成装置１０３へＲＩＰ処理した画像データを送信する。
【００１５】
図３（Ｂ）は印刷制御装置１０２のソフトウェア構成を示すブロック図である。図３（Ｂ）の各モジュールは、図３外部記憶装置３０９に記憶されている。そして、各モジュールはＲＡＭ３０２に展開され、ＣＰＵ３０１により実行される。印刷制御装置１０２を制御するシステムソフトウェア３５１は、ＵＩ制御モジュール３５２、用紙管理モジュール３５３、給紙段管理モジュール３５４、ネットワーク制御モジュール３５５、ジョブ管理モジュール３５６、設定管理モジュール３５７で構成される。
【００１６】
ＵＩ制御モジュール３５２は、用紙管理システムで表示する画面を制御するモジュールである。ＵＩ制御モジュール３５２は、システム設定に従い、画面表示文言や用紙サイズの表示単位系の表示を切り替えるように制御することが可能である。
【００１７】
用紙管理モジュール３５３は、画像形成装置１０３と通信を行い、取得した用紙情報を図８の用紙設定管理テーブル８１０で管理するモジュールである。用紙管理モジュール３５３は、用紙設定管理テーブル８１０に対して、用紙情報の編集、追加、削除、検索を行うことが可能である。用紙設定管理テーブル８１０は、用紙情報を用紙ＩＤごとに管理するための管理テーブルであり、不揮発領域である外部記憶装置３０９で管理される。なお、外部記憶装置３０９で管理としたが、画像形成装置１０３の外部記憶装置２１０側で管理し、印刷制御装置１０２は画像形成装置１０３から用紙設定管理テーブル８１０を取得し、プログラム実行中はＲＡＭ３０２に格納しておくようにしてもよい。
【００１８】
給紙段管理モジュール３５４は、画像形成装置１０３と通信を行い、取得した給紙段情報を図８の給紙段設定管理テーブル８２０で管理するモジュールである。図８の情報も、外部装置３０９に記憶されているが、図３（Ｂ）における図示は省略されている。給紙段管理モジュール３５４は、給紙段設定管理テーブル８２０に対して、給紙段情報の編集、追加、削除、検索を行うことが可能である。給紙段設定管理テーブル８２０は、給紙段情報を給紙段ＩＤごとに管理するための管理テーブルであり、不揮発領域である外部記憶装置３０９で管理される。給紙段設定管理テーブル８２０は、画像形成装置１０３の外部記憶装置２１０側で管理し、印刷制御装置１０２は画像形成装置１０３から給紙段設定管理テーブル８２０を取得し、プログラム実行中はＲＡＭ３０２に格納しておくようにしてもよい。
【００１９】
ネットワーク制御モジュール３５５は、ＬＡＮコントローラ３０６を介して画像形成装置１０３、およびＬＡＮコントローラ３０７を介してネットワーク上のクライアントコンピュータ１０１との通信処理を制御するモジュールである。
【００２０】
ジョブ管理モジュール３５６は、印刷処理シーケンスやジョブの順番を管理するモジュールである。ジョブ管理モジュール３５６は、印刷制御装置１０２が受信したジョブを管理し、ＬＡＮコントローラ３０６およびビデオインターフェース３１０を介して画像形成装置１０３へ受信ジョブを印刷するためのデータ転送を制御する。
【００２１】
設定管理モジュール３５７は、用紙管理システムに関するシステム設定、およびお気に入り情報を管理するモジュールである。設定管理モジュール３５７は、お気に入り情報をお気に入り設定テーブルで管理する。設定管理モジュール３５７は、お気に入り設定管理テーブルに対して、お気に入り情報の編集、追加、削除、検索を行うことが可能である。システム設定とは、例えば、用紙管理システムの画面表示文言の言語設定や、用紙サイズの表示単位系（ミリまたはインチ）設定である。設定管理テーブルは、用紙管理システム１００の設定情報を管理するための管理テーブルであり、不揮発領域である外部記憶装置３０９で管理される。なお、外部記憶装置３０９で管理としたが、画像形成装置１０３の外部記憶装置２１０側で管理し、印刷制御装置１０２は画像形成装置１０３から設定管理テーブルを取得し、プログラム実行中はＲＡＭ３０２に格納しておくようにしてもよい。
【００２２】
図７は用紙管理システムの画面遷移例である。用紙管理システム１００は、印刷制御装置１０２上で動作する。図７のトップ画面７００は、画像形成装置１０３の給紙段の情報を表示した状態の画面である。トップ画面７００は、ユーザの起動指示に応じて表示される。ユーザのマウスやタッチパネルによる指示の入力に応じて、ＣＰＵ３０１からの指示に従ってそのＲＡＭ３０２に描画する。さらに、ＲＡＭ３０２に描画されたイメージデータをビデオ信号として表示装置１１１に出力する。この結果、表示処理がなされる。
【００２３】
７００は用紙管理システムのトップ画面であり、画像形成装置１０３の給紙段情報を表示した状態の画面を表示することが出来る（図７の７００の状態）。トップ画面７００は、印刷制御装置１０２に接続されている、画像形成装置１０３のハードウェアオプションの接続状況を表す。用紙管理システムは前述のように起動指示されたことに応答して、画像形成装置１０３のハードウェアオプション情報をネットワークなどを介して取得し、このオプション情報に従い正しい画像を表示する。本実施の形態の図７では、給紙装置が５つ（うち一つが手差しトレイ）、排紙装置が接続されている状態を表している。７０３〜７０７は給紙段ボタンである。用紙管理システムが起動した時に取得した画像形成装置１０３の給紙段の情報を元に、給紙段ボタンを作成して配置する。給紙段ボタンは、例えば給紙段に設定されている用紙名称や用紙残量などの情報を表示する領域をもつ。コントローラ３００は、画像形成装置１０３の給紙段の状態変更発生時に、画像形成装置１０３から給紙段状態変更イベントを受信すると、給紙段情報を取得しなおす。コントローラ３００は、取得した給紙段情報に従い給紙段ボタンの表示領域を再描画する。
【００２４】
用紙リストボタン７０１は、用紙リスト画面を表示するための指示を出すボタンである。本実施形態では、ボタン７０１が押下されると、コントローラ３００は図７の用紙リスト画面７２０を表示し、用紙リスト画面７２０を最前面に表示する。
【００２５】
設定ボタン７０２は、用紙管理システムのシステム設定を変更するための画面を表示するための指示を出すボタンである。コントローラ３００は、外部記憶装置３０９に保存されたシステム設定に従い、現在のシステム設定を表示する。図４は用紙管理システムが起動した時に、トップ画面７００が作成される時に処理される印刷制御装置１０２のフローチャートである。図５は、画像形成装置１０３が起動する際に、印刷制御装置１０２と通信して同期する情報を作成するフローチャートである。
【００２６】
なお、図１１のトップ画面１１００、図１４のトップ画面１４００は、トップ画面７００と同様の構成であるため、説明は省略する。
【００２７】
図４のフローチャートに係る印刷制御装置１０２のプログラムは、図３の外部記憶装置３０９に格納されており、ＲＡＭ３０２に読み出されＣＰＵ３０１によって実行される。画像形成装置が図５のフローチャートに従って起動する（Ｓ５０１乃至５０４）。その後、用紙管理システムが起動すると、図４の処理が実行される。Ｓ４０１において、コントローラ３００は用紙管理の対象となる画像形成装置１０３のモデルを判別する。コントローラ３００は、画像形成装置１０３と通信を行なう。画像形成装置はＳ５０５でモデル情報の問い合わせに応答する。
【００２８】
印刷制御装置１０２は、Ｓ５０６で画像形成装置１０３が返信したモデル情報を取得する。そして、用紙管理システムが予め保持しているモデル判別情報を元に、画像形成装置１０３のモデルを判別するＳ４０１において、印刷制御装置１０２はモデルを判別する。そして、処理はＳ４０２へ遷移する。
【００２９】
Ｓ４０２において、コントローラ３００は、画像形成装置１０３の接続されているハードウェアオプションを判別し、トップ画面７００を作成する。この時、Ｓ５０７の印刷制御装置から画像形成装置１０２への問い合わせの結果（Ｓ５０８）、画像形成装置１０３から返信された給紙段の情報を特定する時や、モデルごとの仕様差を吸収する際にモデル判別情報を使用する。画像形成装置１０３と通信を行い、ハードウェアオプション情報を印刷制御装置１０２は取得する。すると、処理はＳ４０３へ遷移する。
【００３０】
図５のＳ５０８，Ｓ５１０，Ｓ５１２で画像形成装置１０３から印刷制御装置１０２へ返信される情報に基づき、Ｓ４０２，Ｓ４０３，Ｓ４０４の処理を行う。まず、Ｓ４０３において、コントローラ３００は用紙管理の対象となる画像形成装置１０３に接続されている給紙段の判別を行う。そして、接続されている給紙段の数と給紙段情報を識別する。例えば、ここで取得する給紙段情報は給紙段名称、給紙段ＩＤ、給紙段の用紙残量とする。Ｓ４０３にて給紙段の判別が出来たら、コントローラ３００は、給紙段管理モジュール３５４を実行して、取得した給紙段情報を給紙段管理テーブル８２０へ書き込む。Ｓ４０４に遷移する。
【００３１】
Ｓ４０４にて、コントローラ３００は画像形成装置１０３と通信を行いそれぞれの給紙段に設定されている用紙情報を取得する。Ｓ４０４にて給紙段の用紙情報（用紙ＩＤ）を取得したら、コントローラ３００は、給紙段管理モジュール３５４を実行して、取得した用紙ＩＤを給紙段管理テーブル８２０の対象給紙段ＩＤに一致する領域へ書き込み、Ｓ４０５に遷移する。
【００３２】
Ｓ４０５にて、コントローラ３００はトップ画面７００に表示する給紙段ボタン７０３〜７０７の情報を作成する。Ｓ４０５で給紙段ボタンの情報を作成したら、Ｓ４０６に遷移する。
【００３３】
Ｓ４０６にて、コントローラ３００は画像形成装置１０３と通信を行い、用紙リスト情報を取得する。用紙情報とは、例えば、用紙名称や印刷に必要なパラメータ（図１１の用紙の基本設定項目１１３１に表示されるサイズ等や、調整項目一覧１１３２に表示されている光沢性／黒品位の調整等の設定値）、お気に入りＩＤや使用履歴、設定可能な給紙段ＩＤである。Ｓ４０６にて用紙リスト情報を取得したら、コントローラ３００は、用紙管理モジュール３５３を実行して、取得した用紙情報を用紙設定管理テーブル８１０へ書き込み、Ｓ４０７に遷移する。Ｓ４０７にて、コントローラ３００は、用紙リスト画面７２０の用紙リスト一覧７２１に表示する用紙リスト情報を作成する。設定可能な給紙段ＩＤは、印刷制御装置１０２で、コントローラ３００が、用紙管理モジュール３５３に対して、接続される画像形成装置に応じて、取得した用紙情報から各給紙段に設定可能か否か判断してもよい。または、コントローラ３００が、用紙管理モジュール３５３に対して、画像形成装置１０３に対して取得した用紙情報が各給紙段に対して設定可能か問い合わせを行い、画像形成装置１０３から返ってきた設定可能な給紙段ＩＤを設定するようにしてもよい。使用履歴は、用紙が割り当てられた回数を意味する情報で、用紙作成時に０回として設定され、用紙が給紙段に割り当てられる毎にカウントアップする回数である。
【００３４】
Ｓ４０７にて、コントローラ３００は、用紙リスト情報を作成したら、Ｓ４０８に遷移する。
【００３５】
Ｓ４０８において、コントローラ３００は、Ｓ４０１、Ｓ４０２で取得した画像形成装置１０３のモデルハードウェアオプション情報、Ｓ４０５で作成した給紙段情報よりトップ画面７００を作成する。コントローラ３００は、Ｓ４０７で作成した用紙リスト情報から用紙リスト画面７２０を作成する。なお、解像度の低い表示装置１１１の場合は、画面表示領域が狭いため、トップ画面７００上に用紙リスト画面７２０を重ねて表示する場合がある。用紙リスト画面７２０を閉じてから、用紙管理システムを再起動した場合には、次回起動時にトップ画面７００だけを表示するようにしてもよい。その場合は、オペレータは、起動後にトップ画面の用紙リストボタン７０１を押下することで、ステップＳ４０５、Ｓ４０７で取得した情報に従い用紙リスト画面７２０を表示する。
【００３６】
図７の用紙リスト画面７２０について説明する。用紙リスト画面７２０は、ＣＰＵ３０１からの指示に従ってＲＡＭ３０２に描画すると共に、ＲＡＭ３０２に描画されたイメージデータをビデオ信号として表示装置１１１に出力され、表示される。用紙リスト画面７２０には、用紙リスト表示領域７２１と用紙リストの表示方法を選択するプルダウンメニュー７２２、用紙の検索入力エリア７２３、用紙リストへの用紙追加ボタンを表示する。用紙追加ボタンとしては、用紙リストに新規用紙を登録する新規登録ボタン７２４、用紙リストに既存の用紙を複製する複製ボタン７２５、用紙データベースから用紙を作成するデータベースから登録ボタン７２６が表示される。
【００３７】
７２１の用紙リスト表示領域について説明する。７２１は用紙リストを表示する表である。列に用紙情報（名称、粒量、サイズ等）を、行に用紙が設定される。表示されている用紙の属性情報以外を表示したい場合は、スライダーバーを操作することで表示可能となる。また、表示されている用紙以外を表示したい場合は、スライダーバーを操作することで表示可能となる。選択中の用紙は、選択されていることが分かるように反転表示されている。７２１の用紙リストの表より、いずれかの行に対応する用紙がユーザの指示により選択されると、７２１の用紙表示領域に選択状態の用紙の情報が識別可能に表示される（７０００）。
【００３８】
７２２の用紙リストの表示方法を選択するプルダウンメニューについて説明する。プルダウンメニュー７２２では、７２１の用紙リスト表示領域の表示手段を表示している。本実施形態では、一例として、すべてを表示、お得意様Ａ社、お得意様Ｂ社、お得意様Ｃ社、履歴という表示手段とする。画面表示時にはすべてを表示が選択されているものとする。
【００３９】
お得意様Ａ社、お得意様Ｂ社、お得意様Ｃ社というのは、用紙情報のお気に入りＩＤごとに７２１の用紙リスト表示領域の表示内容をフィルタするための選択肢である。つまり、各用紙情報にはお得意様の属性を付し、それらの属性に従い指定したお得意様の会社の意用紙情報をフィルタする表示がなされてもよい。
【００４０】
７２３の検索入力エリアについて説明する。検索入力エリア７２３では、オペレータが用紙リスト表示領域７２１の用紙から所望の用紙を検索するためのキーワードを入力するためのエリアである。
【００４１】
なお、図１１の用紙リスト画面１１２０、図１４の用紙リスト画面１４２０は、用紙リスト画面７２０と同様の構成を含む。同様の部分の説明は省略する。
【００４２】
図５のフローチャートに係る画像形成装置１０３のプログラムは、図２のＨＤＤ２１１に格納されており、ＲＡＭ２０２に読み出されＣＰＵ２０１によって実行される。画像形成装置１０３は起動するとＳ５０１に遷移する。Ｓ５０１にてコントローラ２００は、自身のモデル情報をＨＤＤ２１１より取得し、返信可能なデータとして作成する。
【００４３】
Ｓ５０１にてモデル情報のデータを作成したら、Ｓ５０２に遷移する。
【００４４】
Ｓ５０２にてコントローラ２００は、印刷インターフェース２０７を介してプリントエンジン２１０から自身の接続されているハードウェアオプション情報を取得し、ＲＡＭ２０２へ返信可能なデータとして作成する。Ｓ５０２にてハードウェアオプション情報のデータを作成したら、Ｓ５０３に遷移する。
【００４５】
Ｓ５０３にてコントローラ２００は自身の給紙段情報を取得したハードウェアオプション情報をＲＡＭ２０２より取得し、返信可能なデータとして作成する。Ｓ５０３にて給紙段情報のデータを作成したら、Ｓ５０４に遷移する。
【００４６】
Ｓ５０４にてコントローラ２００は自身の用紙リスト情報をＨＤＤ２１１より取得し、返信可能なデータとして作成する。Ｓ５０４にて用紙リスト情報のデータを作成したら、Ｓ５０５に遷移する。
【００４７】
Ｓ５０５にてコントローラ２００は印刷制御装置１０２よりモデル情報の問合せを受信したか判断する。もしモデル情報の問合せを受信していた場合は、Ｓ５０６に遷移し、Ｓ５０１で作成したモデル情報を返信しＳ５０７に遷移する。Ｓ５０５にてモデル情報の問合せを受信していない場合もＳ５０８に遷移する。
【００４８】
Ｓ５０７にてコントローラ２００は印刷制御装置１０２よりハードウェアオプション情報の問合せを受信したか判断する。もしハードウェアオプション情報の問合せを受信していた場合は、Ｓ５０８に遷移し、Ｓ５０２で作成したハードウェアオプション情報を返信しＳ５０９に遷移する。Ｓ５０７にてハードウェアオプション情報の問合せを受信していない場合もＳ５０９に遷移する。
【００４９】
Ｓ５０９にてコントローラ２００は印刷制御装置１０２より給紙段情報の問合せを受信したか判断する。もし給紙段情報の問合せを受信していた場合は、Ｓ５１０に遷移し、Ｓ５０３で作成した給紙段情報を返信しＳ５１１に遷移する。Ｓ５０９にて給紙段情報の問合せを受信していない場合もＳ５１１に遷移する。
【００５０】
Ｓ５１１にてコントローラ２００は印刷制御装置１０２より用紙リスト情報の問合せを受信したか判断する。もし用紙リスト情報の問合せを受信していた場合は、Ｓ５１２に遷移し、Ｓ５０４で作成した用紙リスト情報を返信しＳ５０５に遷移する。Ｓ５１１にて用紙リスト情報の問合せを受信していない場合もＳ５０５に遷移する。
【００５１】
説明を図７に戻す。用紙カセット１のボタン７０３を、ポインティングデバイス１１３等を用いて押下すると、図７の用紙カセット１の用紙設定画面７３０が表示される。７０４〜７０７は７０３と同じため、説明を省略する。本実施の形態では詳細に説明しないが、給紙段にはインサータや手差しトレイなどの給紙装置をすべて含むことはいうまでもない。また、以降の説明では、ボタン押下時等のアプリケーションの操作時にポインティングデバイス１１３等を使用するといった説明は省略するが、このような入力デバイスを使用して操作することはいうまでもない。
【００５２】
図７の用紙カセット１の用紙設定画面７３０について説明する。用紙設定画面７３０は、ＣＰＵ３０１からの指示に従ってそのＲＡＭ３０２に描画すると共に、ＲＡＭ３０２に描画されたイメージデータをビデオ信号として表示装置１１１に出力され、表示される。用紙設定画面７３０には、用紙リスト表示領域７３１と用紙情報表示領域７３２、調整項目の調整画面を出すボタン７３３、ここに表示していない他の用紙情報の設定画面を出すボタン７３４、ＯＫボタン７３５、キャンセルボタン７３６が表示される。さらに用紙リストの表示方法を選択するプルダウンメニュー７３７、用紙の検索入力エリア７３８が表示される。
【００５３】
例えば、図７のトップ画面７００にある給紙段ボタン７０３を押下して、７３０の画面が開いた時には、用紙カセット１に現在割り当てられている用紙の情報を選択状態７００１にし、７３２へ表示する。つまり、用紙設定画面７３０が表示される際、用紙リスト表示領域７３１上では、７００で選択された給紙段に設定されている用紙が選択状態になっている。ここで、７３１の用紙リストから用紙をさらに選択しなおした場合は、７３２に新たに選択された用紙の情報が表示される。７３１における別の用紙選択時は別の用紙が白黒反転表示される。用紙リスト表示領域７３１で別の用紙を選択し、ＯＫボタン７３５を押下する。すると、コントローラ３００は、選択された当該別の用紙設定を画像形成装置１０３に対して送信して設定を行う。用紙リスト表示領域７３１で別の用紙を選択し、キャンセルボタン７３６を押下すると、コントローラ３００は、画像形成装置１０３に対して用紙設定を行わず、用紙設定画面７３０を閉じる。
【００５４】
ここで、７３２の用紙情報表示領域は現在選択されている用紙の設定情報を表示する。７３２の用紙情報表示領域の各項目について説明する。オペレータの利便性向上のために、本実施形態では、一例として、オペレータが頻繁に利用する用紙情報のみを表示している。具体的には、用紙の名称と各種調整項目（画像位置調整、二次転写電圧の調整、カール補正量、光沢性／黒品位の調整、後端部白抜け補正、中綴じ設定、用紙ファンの風量調整である。各項目の説明については図１１の用紙設定画面１１３０で後に説明する。７３２の用紙情報表示領域では、現在選択されている用紙名称と、各種調整値が画像形成装置１０３の初期値から変更されているか否かを表示している。変更されていない場合には、調整なしと表示する。変更されている場合は、調整ありと表示する。印刷制御装置１０２から調整可能な項目についてはボタン７３３を表示し、対応する調整画面を表示できるようにしている。
【００５５】
ボタン７３４については、７３２の用紙情報表示領域に表示されていない情報を確認、設定変更する際に押下するボタンである。例えば、図１１の用紙設定画面１１３０を表示するようにしてもよい。
【００５６】
７３７の用紙リストの表示方法を選択するプルダウンメニューについては、７２２と同様であるため説明を省略する。
【００５７】
７３８の検索入力エリアについて説明する。７２３と同様であるため説明を省略する。
【００５８】
なお、図１４の用紙設定画面１４３０は、用紙設定画面７３０と同様の構成であるため、説明は省略する。
【００５９】
図７の光沢性黒品位の調整画面７５０について説明する。調整画面７５０は、ＣＰＵ３０１からの指示に従ってそのＲＡＭ３０２に描画すると共に、ＲＡＭ３０２に描画されたイメージデータをビデオ信号として表示装置１１１に出力され、表示される。調整画面７５０には、光沢性に影響する光沢性レベル７５１と黒品位に影響する黒品位レベル７５２、確認プリント実施時に給紙する給紙箇所を示す給紙箇所７５３が表示される。さらに確認プリントを実行するボタン７５４、ＯＫボタン７５５、キャンセルボタン７５６、調整結果を適用するボタン７５７が表示される。光沢性／黒品位の調整とは、普通紙やコ−ト紙を使用するときなどに、定着器の温度を調整することで、出力画像の光沢を調整する項目である。ここでは光沢性レベル７５１と黒品位レベル７５２をスライダーバーで実現した例を記載しているが、数値入力のテキストボックスとカウントアップ、ダウンのボタンで実現してもよい。適用ボタン７５７は、光沢性レベル７５１、または黒品位レベル７５２が変更されるまではクリックできないようにグレーアウトしてもよい。
【００６０】
ボタン７５４がクリックされた場合、コントローラ３００は、用紙設定管理テーブル８１０へ現在の用紙の情報を書き込む。そして、コントローラ３００は、画像形成装置１０３に対して選択中の用紙に対応する用紙設定管理テーブル８１０の情報を給紙段へ登録するための用紙設定指示を送信する。そして、コントローラ３００は、画像形成装置１０３に対して確認プリントの実行指示を送信する。
【００６１】
ＯＫボタン７５５がクリックされた場合、コントローラ３００は、用紙設定管理テーブル８１０へ現在の用紙の情報を書き込む。そして、コントローラ３００は、画像形成装置１０３に対して選択中の用紙に対応する用紙設定管理テーブル８１０の情報を給紙段へ登録するための用紙設定指示を送信する。
【００６２】
キャンセルボタン７５６がクリックされた場合、コントローラ３００は、調整画面７５０を表示開始した時に設定されていた用紙情報について、用紙設定管理テーブル８１０へ用紙の情報を書き込む。そして、コントローラ３００は、画像形成装置１０３に対して選択中の用紙に対応する用紙設定管理テーブル８１０の情報を給紙段へ登録するための用紙設定指示を送信する。
【００６３】
なお、図１１の調整画面１１６０、図１４の調整画面１４５０は、調整画面７５０と同様の構成であるため、説明は省略する。
【００６４】
図１１の用紙設定画面１１３０について説明する。用紙設定画面１１３０は、用紙の新規登録、登録済み用紙の編集を行うための画面である。用紙設定画面１１３０は、用紙情報入力領域１１３１、用紙情報の調整項目一覧１１３２、調整項目一覧の表示グループを切り替えるプルダウンメニュー１１３３、ＯＫボタン１１３４、キャンセルボタン１１３５で構成される。用紙情報入力領域１１３１は、用紙情報の中で用紙を扱うのに必要な最低限の設定項目を表示している。本実施形態では、例えば、設定項目としては、名称、坪量、色、表面性、サイズ、特徴、両面２面目、お気に入りを表示している。１１３６は用紙の名称を入力することが可能なテキストエリアである。名称を変更する場合は、テキストエリアにキーボード１１２等を使用して、文字を入力することが可能である。例えば、新規登録時には空欄にし、編集時は選択中の用紙名称が表示されるようにしてもよい。変更した情報を用紙情報に反映させるためには、用紙設定画面１１３０のＯＫボタン１１３４を押下する。ＯＫボタン１１３４を押下することで、印刷制御装置１０２、画像形成装置１０３の用紙情報を変更することが出来る。キャンセルボタン１１３５を押下することで、用紙設定をキャンセルすることが出来る。１１３７は坪量を入力することが可能なテキストエリアである。動作は、１１３６の名称テキストエリアと同等なので、以降同様の場合は説明を省略する。１１３８は用紙の色情報を表示し、一覧から選択可能なプルダウンメニューである。１１３９は表面性情報を表示用紙の色を表示し、一覧から選択可能なプルダウンメニューである。１１４０は用紙のサイズ情報を表示し、一覧から選択可能なプルダウンメニューリストである。１１４１は、１１４０でユーザー定義サイズが選択されたときに入力可能になる、用紙サイズの主走査、副走査方向の長さを入力することが可能なテキストエリアである。用紙設定画面１１３０では、用紙サイズがＡ４であるため、入力できないようにグレーアウトされている。なお、入力単位はミリ、インチが切り替えられるようにミリ、インチを切り替える可能なボタンが配置されていてもよい。１１４２は特長情報を表示し、一覧から選択可能なプルダウンメニューリストである。１１４３は封筒のフラップ位置を表示し、一覧から選択可能なプルダウンメニューリストである。１１４２で封筒が選択された場合に、入力可能になるプルダウンメニューリストである。１１４４は両面２面目情報を表示し、設定ありなしを切り替えられるラジオボタンである。両面２面目情報とは、すでに表面に定着済みの紙を給紙段に入れて、裏面を定着する場合に転写の電圧を変える設定である。
【００６５】
お気に入り設定１１４５は、外部記憶装置３０９に保存されているお気に入り一覧を表示し、いずれのお気に入りに所属させるか設定可能なメニューである。ここでは、チェックボックス付でお気に入り一覧が１１４５のように表示され、チェックボックスにチェックが入っていると、対象のお気に入りに所属していることを示す。例えば、１１４５では３つのお気に入り（お得意様Ａ社、お得意様Ｂ社、お得意様Ｃ社）にチェックが入っていないので、いずれのお気に入りにも属していないということを示す。変更した情報を用紙情報に反映させるためには、用紙設定画面１１３０のＯＫボタン１１３４を押下する。ＯＫボタン１１３４を押下することで、印刷制御装置１０２、画像形成装置１０３の用紙情報を変更することが出来る。用紙設定画面１１３０の作成指示を受けると、コントローラ３００は、設定管理モジュール３５７に対して、お気に入り設定テーブルを取得するように制御する。コントローラ３００は、ＵＩ制御モジュール３５２に対して、取得したお気に入りの情報に従い、用紙設定画面１１３０を表示するように制御する。
【００６６】
お気に入り登録／編集ボタン１１４６は、お気に入り管理画面を表示するためのボタンである。お気に入り管理画面では、お気に入りの追加、編集、削除が行える。
【００６７】
調整項目一覧１１３２は、用紙情報に含まれる設定値で調整可能な項目について、名称、調整あり／なし、表示グループが一覧表示されている。なお、調整項目の調整は、１１３２で調整項目を選択すると、用紙設定画面１１３０に調整値の詳細値と調整ボタンが表示され、調整ボタン押下で対象の調整画面が表示されるようになってもよい。調整項目一覧１１３２に表示されている調整項目について概要を説明する。光沢性／黒品位の調整とは、普通紙やコ−ト紙を使用するときなどに、定着器の温度を調整することで、出力画像の光沢を調整する項目である。表示グループとしては、画質と定義する。二次転写電圧の調整とは、トナー像を用紙に転写する際の電圧を変える調整項目である。表示グループとしては、画質と定義する。後端部白抜け補正とは、搬送方向に対する用紙の後端で、トナーが白く抜けたり、色が薄くなったりする場合に転写電圧を変える調整項目である。表示グループとしては、画質と定義する。二次転写除電バイアス調整とは、中間転写ベルトに残った静電気を除去するための電圧値（除電バイアス）を変更する調整項目である。表示グループとしては、画質と定義する。ＩＴＢの画像除去調整とは、中間転写ベルトの画像除去の程度を変える調整項目である。表示グループとしては、画質と定義する。トナー量調整モードとは、トナーの総量を変える調整項目である。表示グループとしては、画質と定義する。一次転写電圧の調整とは、中間転写ベルトからトナー像を用紙に転写する際の電圧を変える調整項目である。表示グループとしては、画質と定義する。レジループ量の調整とは、画像位置を調整する際に形成される用紙のたわみの量を変更する調整項目である。表示グループとしては、画質と定義する。レジ速度の調整とは、画像位置を調整するときの速さを変える調整項目である。表示グループとしては、画質と定義する。画像こすれ補正の調整とは、水分量のムラによって用紙が変形し、搬送不良発生したことが原因の画像の乱れや濃度ムラ発生時に、搬送速度を変える調整項目である。表示グループとしては、画質と定義する。定着圧力の調整とは、定着圧力を変える調整項目である。表示グループとしては、画質と定義する。定着速度の調整とは、定着速度を変える調整項目である。表示グループとしては、画質と定義する。
【００６８】
画像位置調整とは、表面、裏面の用紙に対する印字位置を変える調整項目である。表示グループとしては、画像位置と定義する。先端／後端余白調整とは、印刷時の搬送方向に対して先端側と後端側の余白の長さを変える調整項目である。表示グループとしては、画像位置と定義する。横レジの自動調整とは、画像が搬送方向に対して垂直（横）にずれないように調整する項目である。表示グループとしては、画像位置と定義する。用紙さばきファンの風量調整とは、用紙をさばく際のファンの風量を変える調整項目である。表示グループとしては、用紙搬送と定義する。定着前搬送ファンの風量調整とは、定着前搬送ファンの風量を変える調整項目である。表示グループとしては、用紙搬送と定義する。
【００６９】
プルダウンメニュー１１３３は、調整項目一覧１１３２をグループごとにフィルタ表示するためのフィルタを選択可能にするプルダウンメニューである。例えば、プルダウンメニュー１１３３で、画質を選択されると、コントローラ３００は、ＵＩ制御モジュール３５２に対して、調整項目一覧１１３２で表示グループが画質である調整項目のみ表示するよう制御する。
【００７０】
本実施形態は、印刷制御装置１０２上で動く用紙管理アプリケーションとして説明をするが、用紙管理アプリケーションに限定されるものではない。クライアントコンピュータ１０１や画像形成装置１０３において同様の仕組みを実施する形態でもよい。
【００７１】
＜実施の形態１＞
実施の形態１である印刷制御装置１０２と画像形成装置１０３の処理について、図６を用いて説明する。これから説明する印刷制御装置１０２のプログラムは、図３の外部記憶装置３０９に格納されており、ＲＡＭ３０２に読み出されＣＰＵ３０１によって実行される。
【００７２】
本実施形態では、オペレータが、給紙段（用紙カセット１）には設定していない用紙（用紙Ｂ）を選択し、用紙設定操作から調整後の確認プリントまでを行う例を図６と図９のフローチャートで説明する。
【００７３】
ステップＳ６０１において、オペレータは用紙管理システムのトップ画面７００の給紙段ボタン７０３（用紙カセット１）を押下する。コントローラ３００は、その押下を検知する。
【００７４】
ステップＳ６０２において、印刷制御装置１０２のコントローラ３００は、ＵＩ制御モジュール３５２に対して、給紙段管理モジュール３５４から給紙段管理テーブル８２０を取得するように制御する。コントローラ３００は、ＵＩ制御モジュール３５２に対して、取得した給紙段リストに従い、用紙カセット１に対応する用紙設定画面７３０を作成するように制御する。ここでは、用紙カセット１に対して用紙ＩＤ１すなわち、用紙Ａが指定されている。したがって、７３０では用紙Ａが選択状態となる。そして、７３２には用紙Ａの情報が８１０に従って表示されることになる。
【００７５】
ステップＳ６０３において、コントローラ３００は、ＵＩ制御モジュール３５２に対して表示装置１１１へ用紙設定画面７３０を表示するように制御する。
【００７６】
ステップＳ６０４において、オペレータは、用紙リスト表示領域７３１で、用紙Ｂをクリックして選択する。コントローラ３００は、その選択を検知する。
【００７７】
ステップＳ６０５において、コントローラ３００は、用紙リスト表示領域７３１の選択対象の変更を検知すると、ＵＩ制御モジュール３５２に対して、用紙設定管理テーブル８１０の用紙情報から選択中の用紙を取得し、用紙情報表示領域７３２の情報を更新する。例えば、用紙リスト表示領域７３１で用紙Ｂが選択されると、コントローラ３００は、用紙設定管理テーブル８１０の用紙情報の用紙ＩＤを参照し、用紙Ｂ（用紙ＩＤ＝２）を含むか否か判断する。コントローラ３００は、ＵＩ制御モジュール３５２に対して、一致する用紙の情報を用紙情報表示領域７３２に表示する。
【００７８】
ステップＳ６０６において、コントローラ３００は、ＵＩ制御モジュール３５２に対して、ステップＳ６０５で用紙Ｂの情報が表示された用紙カセット１の用紙設定画面７３０を表示するように制御する。
【００７９】
ステップＳ６０７において、オペレータは、光沢性、黒品位の調整項目を調整するために、調整ボタン７３３をクリックする。コントローラ３００は、そのクリックを検知する。
【００８０】
ステップＳ６０８において、コントローラ３００は、給紙段（用紙カセット１）に設定されている用紙と、ステップＳ６０４で選択された用紙が一致しているかどうか判断する。例えば、コントローラ３００は、給紙段管理テーブル８２０の用紙カセット１の用紙（用紙ＩＤ＝１）を参照し、選択中の用紙Ｂ（用紙ＩＤ＝２）と比較する。ここでは、用紙ＩＤが一致しないため、ミスマッチを検出し、ステップＳ６０９へ遷移する。
【００８１】
ステップＳ６０９において、コントローラ３００は、ＵＩ制御モジュール３５２に対して表示装置１１１へ図７の確認画面７４０を作成するように制御する。
【００８２】
ここで、図７の確認画面７４０について説明する、確認画面７４０は、ステップＳ６０４で選択した用紙が、給紙段に設定されていない場合に、選択中の用紙を給紙段に設定してよいか確認を促すための画面である。確認画面７４０は、ＣＰＵ３０１からの指示に従ってそのＲＡＭ３０２に描画すると共に、ＲＡＭ３０２に描画されたイメージデータをビデオ信号として表示装置１１１に出力され、表示される。確認画面７４０には、メッセージ表示領域７４１と「はい」ボタン７４２、「いいえ」ボタン７４３が表示される。
【００８３】
なお、ここでは必ず確認画面７４０を表示する前提で説明をしているが、確認画面７４０にチェックボックスを設けて、次回以降確認画面を出さないようにしてもよい。
【００８４】
また、給紙段に設定されている用紙と、これから調整しようとしている用紙がどの用紙であるか認識が容易になるような文言を表示領域７４１に表示してもよい。例えば、「給紙箇所には用紙Ａが登録されています。選択した用紙（用紙Ｂ）を給紙箇所に登録して、調整を行います。よろしいですか？（よろしければ、給紙箇所に該当の用紙をセットしてから、［はい］を押してください。）」を表示領域７４１に表示する。
【００８５】
ステップＳ６１０において、コントローラ３００は、ＵＩ制御モジュール３５２に対して表示装置１１１へ図７の確認画面７４０を表示するように制御する。
【００８６】
ステップＳ６１１において、オペレータは、画像形成装置１０３の用紙カセット１を開け、用紙Ｂの紙束をセットする。オペレータは、用紙カセット１を閉じる。
【００８７】
ステップＳ６１２において、オペレータは、選択中の用紙を用紙カセット１に設定して調整操作を継続するため「はい」ボタン７４２をクリックする。
【００８８】
ステップＳ６１３において、コントローラ３００は、用紙管理モジュール３５３に対して、選択中の用紙Ｂに対する用紙設定管理テーブル８１０の情報を給紙段（用紙カセット１）に登録するための用紙設定指示を作成するように制御する。コントローラ３００は、ネットワーク制御モジュール３５５に対して、ＬＡＮコントローラ３０６を制御して制御ケーブル１０８を経由して画像形成装置１０３へ用紙設定指示を送信する。
【００８９】
ステップＳ６１４において、画像形成装置１０３のコントローラ２００は、ＬＡＮコントローラ２０６で用紙設定指示を受信すると、指定された給紙段（ここでは用紙カセット１）に対して、受信した用紙Ｂの用紙情報を設定する。コントローラ３００は、用紙設定を行った用紙の使用履歴をカウントアップし、用紙管理モジュール３５３に対して、対象の用紙ＩＤの用紙設定管理テーブル８１０の使用履歴に使用履歴を書き込むように制御する。
【００９０】
ステップＳ６１５において、コントローラ３００は、ＵＩ制御モジュール３５２に対して表示装置１１１へ図７の光沢性黒品位の調整画面７５０を作成するように制御する。
【００９１】
ここで、ステップＳ６０１〜Ｓ６１５までの処理の流れを図９（Ａ）のフローチャートで説明する。
【００９２】
ステップＳ９０１において、コントローラ３００は、トップ画面７００で、給紙段ボタン７０３がクリックされたことを検知する。コントローラ３００は、ＵＩ制御モジュール３５２に対して、用紙Ｂの情報が表示された用紙カセット１の用紙設定画面７３０を表示するように制御する。
【００９３】
ステップＳ９０２において、コントローラ３００は、光沢性黒品位の調整ボタン７３３がクリックされたことを検知する。調整ボタン７３３がクリックされた場合、コントローラ３００は、ステップＳ９０３へ処理を進める。調整ボタン７３３がクリックされるまでは、コントローラ３００は、用紙設定画面７３０を表示したまま、画面に対する操作を待つように制御する。用紙設定画面７３０では用紙の再選択が可能である。
【００９４】
ステップＳ９０３において、コントローラ３００は、確認画面を表示し、選択中の用紙を給紙段へ設定するか否かを制御する確認手段の処理を行う。
【００９５】
ここで、図９（Ｂ）を用いて、ステップＳ９０３の確認手段について詳細を説明する。
【００９６】
ステップＳ９１１において、コントローラ３００は、給紙段（用紙カセット１）に設定されている用紙と、図６ステップＳ６０４で選択された用紙が一致しているかどうか判断する。選択した用紙と一致していない場合は、コントローラ３００は、ステップＳ９１２へ処理を進める。選択した用紙と一致している場合は、コントローラ３００は、確認手段の処理を終了する。例えば、コントローラ３００は、給紙段管理テーブル８２０の用紙カセット１の用紙（用紙ＩＤ＝１）を参照し、選択中の用紙Ｂ（用紙ＩＤ＝２）と比較する。ここでは、用紙ＩＤが一致しないため、ミスマッチを検出し、ステップＳ９１２へ遷移する。
【００９７】
ステップＳ９１２において、コントローラ３００は、ＵＩ制御モジュール３５２に対して表示装置１１１へ図７の確認画面７４０を表示するように制御する。
【００９８】
ステップＳ９１３において、コントローラ３００は、「はい」ボタン７４２、「いいえ」ボタン７４３がクリックされたことを検知する。「はい」ボタン７４２がクリックされた場合、コントローラ３００は、ステップＳ９１４へ処理を進める。「いいえ」ボタン７４３がクリックされた場合、コントローラ３００は、確認手段の処理を終了する。「はい」ボタン７４２、または「いいえ」ボタン７４３がクリックされるまでは、コントローラ３００は、確認画面７４０を表示したまま、画面に対する操作を待つように制御する。ここでは、メッセージ表示領域７４１で用紙交換を促すメッセージを表示する例で説明したが、用紙交換がされるまで「はい」ボタン７４２をグレーアウトするようにしてもよい。例えば、画像形成装置１０３から用紙カセット１の開閉イベントを受信するまで、「はい」ボタン７４２をグレーアウトするようにしてもよい。
【００９９】
ステップＳ９１４において、コントローラ３００は、用紙管理モジュール３５３に対して、選択中の用紙Ｂに対する用紙設定管理テーブル８１０の情報を給紙段（用紙カセット１）に登録するための用紙設定指示を作成するように制御する。コントローラ３００は、ネットワーク制御モジュール３５５に対して、ＬＡＮコントローラ３０６を制御して制御ケーブル１０８を経由して画像形成装置１０３へ用紙設定指示を送信する。例えば、コントローラ３００は、給紙段管理テーブル８２０の用紙カセット１（給紙段ＩＤ＝１）に対応する用紙ＩＤ領域へ用紙Ｂ（用紙ＩＤ＝２）を書き込む。
【０１００】
以上、ステップ９０３の確認画面にについて図９（Ｂ）を用いて説明した。ここで、図９（Ａ）に戻り説明を続ける。
【０１０１】
ステップＳ９０４において、コントローラ３００は、ＵＩ制御モジュール３５２に対して表示装置１１１へ図７の光沢性黒品位の調整画面７５０を作成するように制御する。
【０１０２】
以上が、ステップＳ６０１〜Ｓ６１５までの処理の流れの説明である。
【０１０３】
ステップＳ６１６において、コントローラ３００は、ＵＩ制御モジュール３５２に対して表示装置１１１へ図７の光沢性黒品位の調整画面７５０を表示するように制御する。
【０１０４】
ステップＳ６１７において、オペレータは、光沢性レベル７５１または黒品位レベル７５２の調整値を変更する。
【０１０５】
ステップＳ６１８において、コントローラ３００は、ＵＩ制御モジュール３５２に対して変更された調整値をＲＡＭ３０２へ格納する。
【０１０６】
ステップＳ６１９において、オペレータは、確認プリントを実行して調整結果を確認するために、ボタン７５４をクリックする。
【０１０７】
ステップＳ６２０において、コントローラ３００は、ステップＳ６１２と同様に、画像形成装置１０３へ用紙設定指示を送信する。
【０１０８】
ステップＳ６２１において、画像形成装置１０３のコントローラ２００は、ステップＳ６１３と同様に、受信した用紙Ｂの用紙情報を設定する。
【０１０９】
ステップＳ６２２において、コントローラ３００は、画像形成装置１０３に対して確認プリントの印刷指示を送信する。印刷指示には、印刷で使用する用紙の種類や給紙段の指定などが含まれ、印刷指示時にコントローラ３００によって指定される。ここでは、画像形成装置１０３が確認プリント用のデータを内蔵している実施形態として説明するが、印刷処理の実行指示としてＰＤＬ（Ｐａｇｅ  Ｄｅｓｃｒｉｐｔｉｏｎ  Ｌａｎｇｕａｇｅ）データを印刷制御装置１０２に送信してもよい。または、ＪＤＦのようなジョブチケットを付けたデータを画像形成装置１０３に送信してもよい。
【０１１０】
ステップＳ６２４において、画像形成装置１０３のコントローラ２００は、受信した印刷指示に従い、指定された給紙段、または指定された用紙の種類が登録された給紙段から紙を給紙するように制御する。ここでは、印刷データに給紙段として用紙カセット１が指定されているため、用紙カセット１を使用する。
【０１１１】
ステップＳ６２５において、画像形成装置１０３のコントローラ２００は、印刷インターフェース２０７を介して接続される印刷部（プリンタエンジン）２１３に出力情報としての画像信号を出力し印刷するように制御する。
【０１１２】
以上、給紙段（用紙カセット１）には設定していない用紙（用紙Ｂ）を選択し、用紙設定操作から調整後の確認プリントまでの一連の流れについて説明した。これによって、オペレータは、用紙設定画面で用紙設定を行う画面遷移なく、調整画面で調整値変更と調整後の確認プリント実施を行うことが可能になる。これにより、ディジタル複合機用紙に関する用紙設定操作を行うオペレータの利便性が向上する。
【０１１３】
＜実施の形態２＞
実施の形態１において、給紙段ボタン７０３から用紙設定操作、および調整操作をおこなう実施形態を説明した。別の実施形態として、図１１の用紙リスト画面１１２０から調整操作を実施する形態が考えられる。例えば、図１１の用紙リスト画面１１２０において、オペレータが用紙Ｂをダブルクリックし、用紙設定画面１１３０を経由して光沢性黒品位の調整画面１１６０を表示して調整操作を行う。本実施形態では、例えば、オペレータがいずれの給紙段にも設定されていない用紙を選択して調整画面１１６０まで操作を実施した場合、調整の確認プリントが実施できない。そのため、オペレータは、用紙設定画面７３０で用紙を設定してから、用紙設定画面１１３０を経由して光沢性黒品位の調整画面１１６０を表示して調整操作を行うことになり、調整後の確認プリントを実施するまで手間がかかる。
【０１１４】
そこで、本実施形態では、前記状況になった場合、確認画面において用紙を設定する給紙段を選択する手段を持たせるようにする。
【０１１５】
本実施形態では、オペレータが、給紙段（用紙カセット１）には設定していない用紙（用紙Ｂ）を選択し、用紙リスト画面１１２０で用紙設定操作なしに調整操作を行う例を図１０と図１２のフローチャートで説明する。
【０１１６】
ステップＳ１００１において、オペレータは用紙管理システムの用紙リスト画面１１２０の用紙リスト表示領域１１３１にある用紙Ｂをダブルクリックする。
【０１１７】
ステップＳ１１０２において、印刷制御装置１０２のコントローラ３００は、ＵＩ制御モジュール３５２に対して、用紙管理モジュール３５３から用紙設定管理テーブル８１０取得するように制御する。コントローラ３００は、ＵＩ制御モジュール３５２に対して、用紙設定管理テーブル８１０から選択中の用紙Ｂ（用紙ＩＤ＝２）を取得し、用紙Ｂの用紙設定画面１１３０を作成するように制御する。
【０１１８】
ステップＳ１００３において、コントローラ３００は、ＵＩ制御モジュール３５２に対して表示装置１１１へ用紙設定画面１１３０を表示するように制御する。
【０１１９】
ステップＳ１００４において、オペレータは、調整項目一覧１１３２で、光沢性黒品位の調整をダブルクリックする。
【０１２０】
ステップＳ１００５において、コントローラ３００は、調整項目一覧１１３２の各調整のクリックを検知すると、コントローラ３００は、各給紙段に設定されている用紙と、ステップＳ１００１で選択された用紙が一致しているかどうか判断する。例えば、コントローラ３００は、給紙段管理テーブル８２０の用紙カセット１〜５の用紙を参照し、選択中の用紙Ｂ（用紙ＩＤ＝２）と比較する。ここでは、用紙ＩＤが一致しないため、ミスマッチを検出し、ステップＳ１００６へ遷移する。なお、ここではいずれの給紙段と説明したが、定着器の後段に接続されるインサータ装置については、調整の確認プリントを実施できないため、判断対象の給紙段から除外するものとする。
【０１２１】
ステップＳ１００６において、コントローラ３００は、ＵＩ制御モジュール３５２に対して表示装置１１１へ図１１の確認画面１１５０を作成するように制御する。
【０１２２】
ここで、図１１の確認画面１１５０について説明する、確認画面１１５０は、ステップＳ１００１で選択した用紙が、いずれの給紙段に設定されていない場合に、選択中の用紙を給紙段に設定してよいか確認を促すための画面である。確認画面１１５０は、ＣＰＵ３０１からの指示に従ってそのＲＡＭ３０２に描画すると共に、ＲＡＭ３０２に描画されたイメージデータをビデオ信号として表示装置１１１に出力され、表示される。確認画面１１５０には、メッセージ表示領域１１５１、給紙箇所の選択プルダウンメニュー１１５２、「はい」ボタン１１５３と「いいえ」ボタン１１５４が表示される。コントローラ３００は、用紙管理テーブル８１０の設定可能給紙段ＩＤを参照して、選択プルダウンメニュー１１５２に表示する給紙段選択肢を作成する。なお、ここでは定着器の後段に接続されるインサータ装置については、調整の確認プリントを実施できないため、選択プルダウンメニュー１１５２に表示する給紙段選択肢から除外するものとする。
【０１２３】
ステップＳ１００７において、コントローラ３００は、ＵＩ制御モジュール３５２に対して表示装置１１１へ図１１の確認画面１１５０を表示するように制御する。
【０１２４】
ステップＳ１００８において、オペレータは、画像形成装置１０３の用紙カセット１を開け、用紙Ｂの紙束をセットする。オペレータは、用紙カセット１を閉じる。
【０１２５】
ステップＳ１００９において、オペレータは、ステップＳ１００１で選択した用紙を設定する給紙段を選択する。ここでは、用紙カセット１を選択する。
【０１２６】
ステップＳ１０１０において、オペレータは、選択中の用紙を用紙カセット１に設定して調整操作を継続するため「はい」ボタン１１５３をクリックする。
【０１２７】
ステップＳ１０１１〜ステップＳ１０２２において、コントローラ３００は、図６のステップＳ６１３〜Ｓ６２４と同様の処理を行うため、説明を省略する。
【０１２８】
ここで、ステップＳ１００１〜Ｓ１０１４までの処理の流れを図１２（Ａ）のフローチャートで説明する。
【０１２９】
ステップＳ１２０１において、コントローラ３００は、用紙リスト画面１１２０で、給紙段ボタン７０３がクリックされたことを検知する。コントローラ３００は、ＵＩ制御モジュール３５２に対して、用紙Ｂの用紙設定画面１１３０を表示するように制御する。
【０１３０】
ステップＳ１２０２において、コントローラ３００は、光沢性黒品位の調整をダブルクリックされたことを検知する。調整項目一覧１１３２の各調整項目がクリックされた場合、コントローラ３００は、ステップＳ１２０３へ処理を進める。調整項目一覧１１３２の各調整項目がクリックされるまでは、コントローラ３００は、用紙設定画面１１３０を表示したまま、画面に対する操作を待つように制御する。
【０１３１】
ステップＳ１２０３において、コントローラ３００は、確認画面を表示し、選択中の用紙を給紙段へ設定するか否かを制御する確認手段の処理を行う。
【０１３２】
ここで、図１２（Ｂ）を用いて、ステップＳ１１０３の確認手段について詳細を説明する。
【０１３３】
ステップＳ１２１１において、コントローラ３００は、いずれの給紙段に設定されている用紙と、図１０のステップＳ１００１で選択された用紙が一致しているかどうか判断する。選択した用紙と一致していない場合は、コントローラ３００は、ステップＳ１２１２へ処理を進める。選択した用紙と一致している場合は、コントローラ３００は、確認手段の処理を終了する。例えば、コントローラ３００は、給紙段管理テーブル８２０の各給紙段の用紙を参照し、選択中の用紙Ｂ（用紙ＩＤ＝２）と比較する。ここでは、用紙ＩＤが一致しないため、ミスマッチを検出し、ステップＳ１２１２へ遷移する。
【０１３４】
ステップＳ１２１２において、コントローラ３００は、ＵＩ制御モジュール３５２に対して表示装置１１１へ図１１の確認画面１１５０を表示するように制御する。
【０１３５】
ステップ１２１３において、コントローラ３００は、給紙箇所の選択プルダウンメニュー１１５２でいずれかの給紙段が選択されているか確認する。給紙段が選択されている場合は、コントローラ３００は、ＵＩ制御モジュール３５２に対して「はい」ボタン１１５３のグレーアウトを解除し、ステップＳ１２１４へ処理を進める。給紙段が選択されていない場合は、コントローラ３００は、ＵＩ制御モジュール３５２に対して「はい」ボタン１１５３をグレーアウトし、給紙段が選択されるのを待つ。なお、選択した用紙がいずれの給紙段にも設定できない場合には、コントローラ３００は、「いいえ」ボタン１１５４がクリックされたのを検知すると、確認手段の処理を終了する。
【０１３６】
ステップＳ１２１４において、コントローラ３００は、図９（Ｂ）のステップ９１３と同様の処理であるため、説明を省略する。
【０１３７】
ステップＳ１２１５において、コントローラ３００は、用紙管理モジュール３５３に対して、ステップＳ１００１で選択中の用紙Ｂに対する用紙設定管理テーブル８１０の情報を取得する。コントローラ３００は、前記取得した情報をステップＳ１２１３で選択された給紙段（用紙カセット１）に登録するための用紙設定指示を作成するように制御する。コントローラ３００は、ネットワーク制御モジュール３５５に対して、ＬＡＮコントローラ３０６を制御して制御ケーブル１０８を経由して画像形成装置１０３へ用紙設定指示を送信する。例えば、コントローラ３００は、給紙段管理テーブル８２０の用紙カセット１（給紙段ＩＤ＝１）に対応する用紙ＩＤ領域へ用紙Ｂ（用紙ＩＤ＝２）を書き込む。
【０１３８】
以上、ステップ１２０３の確認画面にについて図１２（Ｂ）を用いて説明した。ここで、図１２（Ａ）に戻り説明を続ける。
【０１３９】
ステップＳ１２０４において、コントローラ３００は、ＵＩ制御モジュール３５２に対して表示装置１１１へ図１１の光沢性黒品位の調整画面１１６０を作成するように制御する。
【０１４０】
以上、図１１の用紙リスト画面１１２０から給紙段には設定していない用紙（用紙Ｂ）を選択し、用紙設定操作なしに調整操作から調整後の確認プリントまでの一連の流れについて説明した。これによって、オペレータは、用紙設定画面で用紙設定を行う画面遷移なく、調整画面で調整値変更と調整後の確認プリント実施を行うことが可能になる。これにより、ディジタル複合機用紙に関する用紙設定操作を行うオペレータの利便性が向上する。
【０１４１】
＜実施の形態３＞
実施の形態１において、オペレータが、確認画面７４０で「はい」ボタン７４２を押下して調整画面に画面遷移したが、選択する用紙を間違ったことに気が付き、もともと給紙段に設定されていた用紙に設定を戻したい場合がある。
【０１４２】
そこで、本実施形態では、前記状況になった場合、実施の形態１に基づき、調整画面７５０でキャンセルボタン７５６を押下した場合に、確認画面７４０を開いたときの用紙設定に戻すようにする。
【０１４３】
本実施形態では、オペレータが、給紙段（用紙カセット１）には設定していない用紙（用紙Ｂ）を選択し、用紙設定操作から調整画面でキャンセルを行う例を図１３と図１５のフローチャートで説明する。
【０１４４】
ステップＳ１３０１〜Ｓ１３１１までは、図６のステップＳ６０１〜Ｓ６１１までと同様であるため説明を省略する。
【０１４５】
ステップＳ１３１２において、オペレータは、選択中の用紙を用紙カセット１に設定して調整操作を継続するため「はい」ボタン１４４２をクリックする。
【０１４６】
ステップＳ１３１３において、コントローラ３００は、用紙管理モジュール３５３に対して、現在の給紙段（用紙カセット１）に設定されている用紙Ａ（用紙ＩＤ＝１）をＲＡＭ３０２へ一時的に格納する。
【０１４７】
ステップＳ１３１４〜Ｓ１３１９までは、図６のステップＳ６１３〜Ｓ６１８と同様であるため説明を省略する。
【０１４８】
ステップＳ１３２０において、オペレータは、調整画面１１５０のキャンセルボタン１１５６をクリックする。
【０１４９】
ステップＳ１３２１において、コントローラ３００は、ＲＡＭ３０２から一時格納していた用紙Ａ（用紙ＩＤ＝１）を読み込む。
【０１５０】
ステップＳ１３２２において、コントローラ３００は、用紙管理モジュール３５３に対して、ＲＡＭ３０２から読みだした用紙Ａに対する用紙設定管理テーブル８１０の情報を給紙段（用紙カセット１）に登録するための用紙設定指示を作成するように制御する。コントローラ３００は、ネットワーク制御モジュール３５５に対して、ＬＡＮコントローラ３０６を制御して制御ケーブル１０８を経由して画像形成装置１０３へ用紙設定指示を送信する。
【０１５１】
ステップＳ１３２３において、画像形成装置１０３のコントローラ２００は、ＬＡＮコントローラ２０６で用紙設定指示を受信すると、指定された給紙段（ここでは用紙カセット１）に対して、受信した用紙Ａの用紙情報を設定する。コントローラ３００は、用紙設定を行った用紙の使用履歴をカウントアップし、用紙管理モジュール３５３に対して、対象の用紙ＩＤの用紙設定管理テーブル８１０の使用履歴に使用履歴を書き込むように制御する。
【０１５２】
ステップＳ１３２４において、コントローラ３００は、ＵＩ制御モジュール３５２に対して、給紙段管理モジュール３５４から給紙段管理テーブル８２０取得するように制御する。コントローラ３００は、ＵＩ制御モジュール３５２に対して、取得した給紙段リストに従い、用紙カセット１の用紙設定画面１４３０を作成するように制御する。
【０１５３】
ステップＳ１３２５において、コントローラ３００は、ＵＩ制御モジュール３５２に対して表示装置１１１へ用紙設定画面１４３０を表示するように制御する。
【０１５４】
ここで、ステップＳ１３０１〜Ｓ１３２３までの処理の流れを図１５（Ａ）のフローチャートで説明する。
【０１５５】
ステップＳ１５０１〜Ｓ１５０４において、コントローラ３００は、図９のステップＳ９０１〜Ｓ９０４と同様であるため説明を省略する。
【０１５６】
ただし、ステップＳ１５０３の解析手段については、図９（Ｂ）と差異があるため、図１５（Ｂ）を用いて説明する。
【０１５７】
ステップＳ１５１１〜ステップＳ１５１３までは図９（Ｂ）と同様の処理のため、説明を省略する。
【０１５８】
ステップＳ１５１４において、コントローラ３００は、用紙管理モジュール３５３に対して、現在の給紙段（用紙カセット１）に設定されている用紙Ａ（用紙ＩＤ＝１）をＲＡＭ３０２へ一時的に格納する。
【０１５９】
ステップＳ１５１５において、コントローラ３００は、用紙管理モジュール３５３に対して、選択中の用紙Ｂに対する用紙設定管理テーブル８１０の情報を給紙段（用紙カセット１）に登録するための用紙設定指示を作成するように制御する。コントローラ３００は、ネットワーク制御モジュール３５５に対して、ＬＡＮコントローラ３０６を制御して制御ケーブル１０８を経由して画像形成装置１０３へ用紙設定指示を送信する。例えば、コントローラ３００は、給紙段管理テーブル８２０の用紙カセット１（給紙段ＩＤ＝１）に対応する用紙ＩＤ領域へ用紙Ｂ（用紙ＩＤ＝２）を書き込む。
【０１６０】
以上、ステップ１５０３の確認画面にについて図１５（Ｂ）を用いて説明した。ここで、図１５（Ａ）に戻り説明を続ける。
【０１６１】
ステップＳ１５０５において、コントローラ３００は、調整画面１４５０のキャンセルボタン１４５６がクリックされたか検知する。キャンセルボタン１４５６がクリックされた場合、コントローラ３００は、ステップＳ１５０６へ処理を進める。キャンセルボタン１４５６がクリックされていない場合、コントローラ３００は、調整画面１４５０に属するいずれかのボタンに対するクリックイベントの受信を待つ。
【０１６２】
ステップＳ１５０６において、コントローラ３００は、用紙管理モジュール３５３に対して、ＲＡＭ３０２から読みだした用紙Ａに対する用紙設定管理テーブル８１０の情報を取得する。
【０１６３】
ステップＳ１５０７において、コントローラ３００は、用紙管理モジュール３５３に対して、ＲＡＭ３０２から読みだした用紙Ａに対する用紙設定管理テーブル８１０の情報を給紙段（用紙カセット１）に登録するための用紙設定指示を作成するように制御する。例えば、コントローラ３００は、給紙段管理テーブル８２０の用紙カセット１（給紙段ＩＤ＝１）に対応する用紙ＩＤ領域へ用紙Ａ（用紙ＩＤ＝１）を書き込む。画像形成装置１０３のコントローラ２００は、ＬＡＮコントローラ２０６で用紙設定指示を受信すると、指定された給紙段（ここでは用紙カセット１）に対して、受信した用紙Ａの用紙情報を設定する。コントローラ３００は、用紙設定を行った用紙の使用履歴をカウントアップし、用紙管理モジュール３５３に対して、対象の用紙ＩＤの用紙設定管理テーブル８１０の使用履歴に使用履歴を書き込むように制御する。コントローラ３００は、ＵＩ制御モジュール３５２に対して、調整画面１４５０を閉じて、ステップＳ１５０１で表示した用紙設定画面１４３０へ画面遷移するように制御する。
【０１６４】
以上、図１４の調整画面１４５０でキャンセルボタン１４５６を押下した場合に、確認画面１４４０を開いたときの用紙設定に戻すようにする一連の流れについて説明した。これによって、オペレータは、実施の形態１において、調整画面１４５０まで操作後に、選択する用紙を間違ったことに気が付き、給紙段の用紙設定変更を容易にもとに戻すことが可能になる。これにより、ディジタル複合機用紙に関する用紙設定操作を行うオペレータの利便性が向上する。
【０１６５】
本実施形態では、以下を説明した。コントローラ３００と画像形成装置１０３とを含む管理システムを開示した。コントローラ３００は、給紙段を選択する（７０３）。
【０１６６】
コントローラ３００は、印刷のために用いられるシートに対して印刷処理する際の設定値を含むシート情報を調整する調整する。紙製の用紙やＯＨＰ、プラスチック包装紙はシートの一例である。
【０１６７】
コントローラ３００により選択された給紙段に設定されているシート情報と、調整されるシート情報が一致しない場合に、調整されるシート情報を現在の給紙段に設定するかをコントローラ３００は確認する。シート情報の一例は用紙情報７０００である。
【０１６８】
コントローラ３００による確認結果に従って、調整後のシート情報を画像形成装置１０３に対してコントローラ３００は設定する。
【０１６９】
調整操作を中断した場合は、選択された給紙段に設定したシート情報として、調整画面（７３０）表示時点のシート情報をコントローラ３００が設定することにしてもよい。
【０１７０】
確認画面７４０を表示してから、前記選択手段が選択した給紙段のシートが交換されるまで、調整対象のシートのシート情報を変更できないようにコントローラ３００は設定してもよい。
【０１７１】
コントローラ３００は、複数の給紙段に対応する複数の表示アイテムを表示する表示制御する。表示アイテムの一例は、７０３乃至７０７である。
【０１７２】
複数の表示アイテムの中からひとつの給紙段に対応する表示アイテム（７０３）が選択されることに応じて当該給紙段はコントローラ３００により選択される。
【０１７３】
選択された給紙段に対して設定するべきシート情報を、複数のシート情報の中からコントローラ３００は選択する（７３０）。７３０の画面は、シート情報選択の画面の一例である。
【０１７４】
選択されたシート情報と、給紙段に対して予め設定されていたシート情報が一致するかをコントローラ３００は確認する。その確認結果に従って所定の確認画面（７４０、１１１５０）を表示する。
【図１】
2020001353.tif 000003
【図２】
2020001353.tif 000004
【図３】
2020001353.tif 000005
【図４】
2020001353.tif 000006
【図５】
2020001353.tif 000007
【図６】
2020001353.tif 000008
【図７】
2020001353.tif 000009
【図８】
2020001353.tif 000010
【図９】
2020001353.tif 000011
【図１０】
2020001353.tif 000012
【図１１】
2020001353.tif 000013
【図１２】
2020001353.tif 000014
【図１３】
2020001353.tif 000015
【図１４】
2020001353.tif 000016
【図１５】
2020001353.tif 000017